(57)【要約】【課題】  ドレンホースを通じた屋内外の空気導通を遮断しながら室内機のドレン水のみを屋外へ排水できる外気侵入防止装置を構造簡単で低コストに製作する。【解決手段】  一端を屋外の延長用ドレンホースＳ２に接続し、他端に雌ネジ筒部２Ａを有し、側面に通気孔２Ｃを有して成る下部筐体２と、一端を室内機側ドレンホースＳ１に接続し、他端を下部筐体２の雌ネジ筒部２Ａにねじ込んで接続する雄ネジ筒部３Ａを有して成る上部筐体３と、合成樹脂製筒袋状の絞り弁５の一端開放側を固定可能とし、当該絞り弁５の他端開放側を下部筐体２内部に臨むよう上部筐体３の雄ネジ筒部３Ａ内側に挿脱可能としたアタッチメント４とを備える。絞り弁５は、耐水性を有し且つ軟質のポリエチレンを用いて形成し、アタッチメント４に挿入し、折り返し状にして輪ゴム６によって固定する。【選択図】      図１
2006275313.tif 000002
【特許請求の範囲】
【請求項１】
室内機の運転時に発生するドレン水を排水するドレン排水口に繋がれ、壁を貫通して屋外に外出した室内機側ドレンホースと屋外の延長用ドレンホースとの間に連通介装されるドレンホースの外気侵入防止装置であって、一端が屋外の延長用ドレンホースに接続され、他端に雌ネジ筒部を有し、側面に通気孔を有して成る下部筐体と、一端が室内機側ドレンホースに接続され、他端が下部筐体の雌ネジ筒部にねじ込まれて接続される雄ネジ筒部を有して成る上部筐体と、合成樹脂製筒袋状の絞り弁の一端開放側を固定可能とし、当該絞り弁の閉塞傾向にある他端開放側を下部筐体内部に臨ませて上部筐体の雄ネジ筒部内側に挿脱可能としたアタッチメントとを備えて成ることを特徴とするドレンホースの外気侵入防止装置。
【請求項２】
絞り弁は、耐水性を有し且つ軟質のポリエチレンを用いている請求項１記載のドレンホースの外気侵入防止装置。
【請求項３】
絞り弁の他端開放側は、この他端開放部分に残留するドレン水による表面張力で閉塞されるようになっている請求項１または２記載のドレンホースの外気侵入防止装置。
【請求項４】
絞り弁の一端開放側は、アタッチメント内に挿通され、アタッチメント上端で外方に折り返されて縛結されている請求項１乃至３のいずれか記載のドレンホースの外気侵入防止装置。
【発明の詳細な説明】
【技術分野】
【０００１】
本発明は、例えばエアコン等の室内機の運転により発生するドレン水を排水するためのドレンホースに取り付けられ、ドレン水が室内機側に逆流したり、ドレンホースを通じて外気が室内機を経て屋内部に侵入し、異音を発生させたりする等の弊害を未然に防止するためのドレンホースの外気侵入防止装置に関するものである。
【背景技術】
【０００２】
従来、エアコン等の室内機には、運転時に発生するドレン水を排水するためのドレン排水口が設けられており、このドレン排水口に室内機側ドレンホースの一端が繋がれていて家屋壁等を貫通して屋外に外出させてあり、更に必要があればこの室内機側ドレンホースの他端に所定箇所に案内排水する延長用ドレンホースが繋がれている。
【０００３】
このとき室内機側ドレンホースの他端、あるいはこれに繋がれる延長用ドレンホースの他端は常に開放状態となっているため、ドレン水が室内機側に逆流したり、これらを通じて外気が室内機から屋内部に侵入し、異音を発生させたりする。すなわち、例えば気密性の高い高層マンション等において屋内が負圧の時には、室内機の運転中にドレンホースを通じてドレン水が室内機側に逆流し、これによってボコボコとした不快音を発生することがある。また、ドレンホースから例えば夏期時の熱風や冬期時の冷風等の外気が侵入してしまい、この分の余計なエネルギーが室内機で浪費されてしまうものであった。
【０００４】
このため、近年においては、室内機側ドレンホースと延長用ドレンホースとの間に、あるいはこれらを適宜に切断してその切断箇所に連通介装されるようにした種々の外気侵入防止装置が提供されている。例えば、エアコン等の室内機の運転中にドレン水の水圧力で押されて撓曲開放され、停止中では常時閉塞状態に弾性復帰する弾性膜材による弁体を弁筐体内部に備えて成る逆止弁構造によるものがある。
【０００５】
また、複数の空気孔を有する円筒状ケース体に延長用ドレンホースが接続され、この円筒状ケース体を閉蓋する蓋体に室内機側ドレンホースが接続され、蓋体側に取り付けられた中央が細長くくびれた弾性筒体を該円筒状ケース体内部に臨ませて成る逆止弁構造によるものがある。
【０００６】
さらに、一端側に室内機側ドレンホースが接続され、他端側に延長用ドレンホースが接続される筐体内に、両ドレンホース内部が連通するための斜行状の開口部を設け、一端に付設された錘の自重によって揺動付勢させて該開口部を常時閉塞させ、室内機の運転中で発生するドレン水の水圧力で押されて開放されるようにした弁体を備えて成る逆止弁構造によるもの等、種々の外気侵入防止装置が従来から提案されている。
【０００７】
【特許文献１】特になし
【発明の開示】
【発明が解決しようとする課題】
【０００８】
しかしながら、従来のこのような逆止弁構造による外気侵入防止装置は、弁自体が複雑な構造であって、しかもコストもかなり高くなる等の問題点を有していた。
【０００９】
そこで本発明は叙上のような従来存した諸事情に鑑み創出されたもので、構造が簡単で且つ低コストに製作することができ、しかもドレンホースによる屋内外の空気導通を遮断して内外の気密性を維持しながら、室内機のドレン水のみを屋外へ容易に排水することができるドレンホースの外気侵入防止装置を提供することを目的とする。
【課題を解決するための手段】
【００１０】
上述した課題を解決するため、本発明にあっては、室内機Ｐの運転時に発生するドレン水を排水するドレン排水口に繋がれ、壁を貫通して屋外に外出した室内機側ドレンホースＳ１と屋外の延長用ドレンホースＳ２との間に連通介装されるドレンホースの外気侵入防止装置１であって、一端が屋外の延長用ドレンホースＳ２に接続され、他端に雌ネジ筒部２Ａを有し、側面に通気孔２Ｃを有して成る下部筐体２と、一端が室内機側ドレンホースＳ１に接続され、他端が下部筐体２の雌ネジ筒部２Ａにねじ込まれて接続される雄ネジ筒部３Ａを有して成る上部筐体３と、合成樹脂製筒袋状の絞り弁５の一端開放側を固定可能とし、当該絞り弁５の他端開放側を下部筐体２内部に臨ませて上部筐体３の雄ネジ筒部３Ａ内側に挿脱可能としたアタッチメント４とを備えて成るものである。
また、絞り弁５は、耐水性を有し且つ軟質のポリエチレンを用いて形成することができる。
絞り弁５の他端開放側は、この他端開放部分に残留するドレン水による表面張力で閉塞されるようになっているようにすることができ、更には、絞り弁５の一端開放側は、アタッチメント４内に挿通され、アタッチメント４上端で外方に折り返されて例えば輪ゴムによって縛結されているように構成することができる。
【００１１】
以上のように構成された本発明に係るドレンホースの外気侵入防止装置１にあって、アタッチメント４を介して上部筐体３の雄ネジ筒部３Ａ側に固定された合成樹脂製筒袋状の絞り弁５は、室内機Ｐの停止時において当該絞り弁５の下部筐体２内部に臨ませた他端開放側を濡らしている残留するドレン水の表面張力によって内面同士を付着させて閉塞状態にさせる。
このとき、下部筐体２の通気孔２Ｃは、延長用ドレンホースＳ２から下部筐体２内部に侵入した外気を当該通気孔２Ｃを通じて外部に排気させる。
一方、室内機Ｐの運転時において、当該絞り弁５の下部筐体２内部に臨ませた他端開放側は、ドレン水の水圧力によって開放状態にさせられて当該ドレン水を延長用ドレンホースＳ２を通じて外部へ排水させる。
また絞り弁５の上端は折り返されてアタッチメント４上端に縛結されるから、しっかりと固定され、その縛結を解除することで新規の絞り弁５との交換を容易にし、ポリエチレンの筒袋状の絞り弁５自体は、その軟質性で残留するドレン水による表面張力作用の付着力で自身で閉塞し、ドレン水は排水させるも外気は侵入させない。
【発明の効果】
【００１２】
本発明によれば、構造が簡単で且つ低コストのドレンホースの外気侵入防止装置を製作することができ、しかもドレンホースＳ１，Ｓ２による屋内外の空気導通を遮断しながら室内機Ｐのドレン水のみを屋外へ容易に排水排出することができる。特に気密性の高い住宅や高層マンション等におけるエアコン装置のドレン機構部位に取り付け使用することでその機能を充分に発揮することができる。
【００１３】
すなわちこれは本発明が、一端が屋外の延長用ドレンホースＳ２に接続され、他端に雌ネジ筒部２Ａを有し、側面に通気孔２Ｃを有して成る下部筐体２と、一端が室内機側ドレンホースＳ１に接続され、他端が下部筐体２の雌ネジ筒部２Ａにねじ込まれて接続される雄ネジ筒部３Ａを有して成る上部筐体３と、合成樹脂製筒袋状の絞り弁５の一端開放側を固定可能とし、当該絞り弁５の他端開放側を下部筐体２内部に臨ませて上部筐体３の雄ネジ筒部３Ａ内側に挿脱可能としたアタッチメント４とを備えて成るからである。これにより、アタッチメント４を介して上部筐体３の雄ネジ筒部３Ａ側に固定された絞り弁５が、室内機Ｐの停止時においても、当該絞り弁５の他端開放側を濡らしているドレン水の表面張力によって絞り弁５自体の内面同士を付着閉塞状態にさせるものとなり、例えば高層マンションや高気密住宅等に設置されたエアコン装置における延長用ドレンホースＳ２からの外気の侵入、および室内機Ｐの運転時でのドレン水の逆流やこれによるボコボコとした異音の発生等を未然に防止することができる。
【００１４】
また、気密性の高く、屋内が負圧の時においても、延長用ドレンホースＳ２から侵入しようとする外気、例えば夏期時の熱風や冬期時の冷風等を容易に遮断することができ、しかもその侵入等に伴う余計なエネルギーが室内機で浪費されることがないためにエアコン装置自体の省エネ運転にも役立つ。また、外気の侵入による臭気を遮断することもできるため、悪臭侵入による不快感を防止することもできる。
【００１５】
さらに、絞り弁５は合成樹脂製袋状であるから、従来品に比べて低価格で製作可能で、コンパクトな構成であるため、例えば化粧カバー内の狭いところへも容易に取り付けることができる。加えて、互いに例えば透明色である下部筐体２と上部筐体３との上下分割仕様であるため、内部の汚れが外から確認し易く、且つ点検・清掃が簡単に行える。
【００１６】
また、絞り弁５自体は耐水性を有し且つ軟質のポリエチレンとすることで、アタッチメント４の大きさに対応した汎用性ある袋によっても代用でき、従来の逆止弁構造に比して格段と低コストに製作することができる。しかも絞り弁５の一端開放側は、アタッチメント４内に挿通され、アタッチメント４上端で外方に折り返されて縛結されるよう、例えば輪ゴム６によって固定しておくことができ、汚損その他によっての交換、着脱が容易であると共に、取付状態を確実なものとしておくことができる。
【００１７】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１８】
以下、図面を参照して本発明を実施するための最良の一形態を説明すると、図において示される符号１は、例えばエアコン等の室内機Ｐの運転により発生するドレン水を排水するためのドレンホース（Ｓ１，Ｓ２）に取り付けられる外気侵入防止装置である。図例にあってはこのドレンホース（Ｓ１，Ｓ２）を適宜箇所で切断し、その切断箇所に取り付けると共に切断部位が外気侵入防止装置１を介して連通されるようにしてあるもので、便宜上、室内機側ドレンホースＳ１と延長用ドレンホースＳ２として、その間に連通介装されるものとして説明してある。もとより、当初からこのように分離しているものであっても、元もと１本のものとしてあるドレンホースを切断して取り付けるようにしてもよく、その取付形態の選択は任意である。
【００１９】
すなわち、図３に示すように、例えばコンプレッサー、室外熱交換機等を組み込んだ室外機Ｑに、家屋外壁等を貫通する冷媒循環導管Ｒによって接続されて成るエアコン等の室内機Ｐには、運転時に発生するドレン水を排水するための不図示のドレン排水口が設けられており、このドレン排水口に家屋外壁等を貫通する室内機側ドレンホースＳ１の一端を繋ぎ、外壁から外出する室内機側ドレンホースＳ１の他端に、本発明に係る外気侵入防止装置１を介して屋外の延長用ドレンホースＳ２が繋がれている。
【００２０】
外気侵入防止装置１自体は、図１、図２に示すように、例えば義眼等の医療用素材として用いられるＫレジン（商品名）、あるいは例えばポリエチレン、ポリプロピレン、ポリスチレン等のポリオレフィン系樹脂等の素材を材料に用いて略筒状に成形されて成る無色透明または有色透明の下部筐体２、上部筐体３、アタッチメント４それぞれと、例えば耐水性を有し且つ軟質の筒袋状のポリエチレンを用いた絞り弁５とから構成されている。
【００２１】
下部筐体２は、その一端側に段差状に細径となった接続用差し口２Ｂが突設されており、そこに波状断面に形成された可撓性のある屋外の延長用ドレンホースＳ２の一端開口側を差し込み接続するようにしてある。また下部筐体２の他端側には、下部筐体２自体の外径よりも若干大径で且つ螺旋状の凹条を筒体の内周に形成して成る雌ネジ筒部２Ａが一体形成され、さらに下部筐体２の周面には複数の通気孔２Ｃを穿設し、下部筐体２内に侵入した外気を外部へ排気できるようにしてある。
【００２２】
尚、接続用差し口２Ｂは大小異径の２段状に形成してあり、例えば外径が１４ｍｍの小径部分と、外径が１６ｍｍの大径部分とに区画形成してあって、延長用ドレンホースＳ２が大小の異径のものであってもそれらを選択して接続可能にして汎用性に富むように考慮してある。もとより、この延長用ドレンホースＳ２は、室内機Ｐに接続連繋した室内機側ドレンホースＳ１の末端部分を切断することで、その切断部位に介在されるように使用しても良く、場合によっては接続用差し口２Ｂにてそのまま外気と通気されるように使用される場合もあり得る。
【００２３】
上部筐体３は、その一端側に複数段にわたってくびれが形成され且つ室内機側ドレンホースＳ１の外径よりも若干大径の接続用受け口３Ｂが形成されており、そこに室内機側ドレンホースＳ１の一端開口側を挿入し、くびれ部分で係止された状態で接続するようにしてある。また上部筐体３の他端側には、螺旋状の凸条を筒体の外周に形成して成る雄ネジ筒部３Ａが一体形成され、前記した下部筐体２の雌ネジ筒部２Ａにねじ込まれて接続されるように、雄ネジ筒部３Ａは雌ネジ筒部２Ａがネジ込まれるように両者は大小異径のものとしてある。
【００２４】
アタッチメント４は、前記上部筐体３の雄ネジ筒部３Ａ内側に嵌合される小径の筒体によって形成され、中央には雄ネジ筒部３Ａ内側への挿入の際の摩擦を若干少なくして挿脱が容易に行えるようにするためのくびれが形成されている。このアタッチメント４によって、上部筐体３の雄ネジ筒部３Ａ側に対し、合成樹脂製筒袋状の絞り弁５の一端開放側を固定させ、当該絞り弁５の他端開放側を下部筐体２内部に臨ませるようにしてある。
【００２５】
絞り弁５は、所定径の細長い筒袋の一端開口縁側を外方に折り返し反転させることで折り返し部５Ａを形成しておき、アタッチメント４の一端開口側から筒袋他端側を挿入してから当該一端開口縁部に折り返し部５Ａを架けるように保持させ、また輪ゴム６によってくびれ部分に縛結することで、アタッチメント４に強固なしっかりとした状態で固定できるようにしてある。このようにして絞り弁５を固定した状態のアタッチメント４を、上部筐体３の雄ネジ筒部３Ａ内側に嵌め込むことで絞り弁５自体が上部筐体３にしっかりと固定されるようにしてある。尚、輪ゴム６は絞り弁５をアタッチメント４に取り付けるもので、紐材その他によっても代用可能である。
【００２６】
次に、以上のように構成された最良の形態についての組立、使用、動作の一例について説明するに、室内機Ｐと室外機Ｑとを冷媒循環導管Ｒにて連繋して取り付け設置しておき、室内機側ドレンホースＳ１を外壁を貫挿して屋外に外出させておく。そして、先ず、外気侵入防止装置１において、アタッチメント４への絞り弁５の取り付けに際し、下部筐体２、上部筐体３、アタッチメント４それぞれに予め分解しておく。そして、絞り弁５の筒袋一端開口縁側を外方に折り返し反転させて折り返し部５Ａを形成しておき、アタッチメント４の一端開口側から筒袋他端側を挿入してから当該一端開口縁部に折り返し部５Ａを架けるように保持し、輪ゴム６にてしっかりと縛結する。尚、折り返し部５Ａは、筒状のままの絞り弁５の一旦開口縁側をアタッチメント４に挿入後に、折り返しても形成しても良く、これは任意に選択できる。
【００２７】
そしてこの状態でアタッチメント４を上部筐体３の雄ネジ筒部３Ａ内側へ嵌め込み、図２に示すように、絞り弁５の折り返し部５Ａが雄ネジ筒部３Ａとアタッチメント４との間に挟持された状態となるように固定しておき、この上部筐体３の雄ネジ筒部３Ａを下部筐体２の雌ネジ筒部２Ａにねじ込む。しかして外気侵入防止装置１が組立てられ、室内機側ドレンホースＳ１にこの外気侵入防止装置１を接続取り付けし、更に延長用ドレンホースＳ２を下部筐体２に取り付ける。
【００２８】
すなわち、上部筐体３の接続用受け口３Ｂに室内機側ドレンホースＳ１の一端開口側を挿入し、くびれ部分で係止された状態で接続する。また下部筐体２の接続用差し口２Ｂに屋外の延長用ドレンホースＳ２の一端開口側を差し込み接続する。このとき両ドレンホースＳ１，Ｓ２を奥までしっかりと差し込み、シールテープ等で固定する。外気侵入防止装置１を例えば屋外の壁面で垂直になるように位置決めしておき、このとき外気侵入防止装置１自体は、屋内側の負圧に対応する充分な封水高として例えば地上から約１００ｍｍ以上に確保した状態で設置する。
【００２９】
室内機Ｐの停止時において、絞り弁５は当該絞り弁５の下部筐体２内部に臨ませた他端開放側を濡らしている残留しているドレン水の表面張力によって内面同士が付着して閉塞状態が維持されるものとなり、気密性の高い屋内が負圧の状態であっても、延長用ドレンホースＳ２から下部筐体２内部に侵入した外気は屋内に侵入せずに下部筐体２の通気孔２Ｃを通じて外部に排気される。
【００３０】
一方、室内機Ｐの運転時において、絞り弁５の下部筐体２内部に臨ませた他端開放側は、ドレン水の水圧力によって強制的に開放状態にされ、当該ドレン水は延長用ドレンホースＳ２を通じて外部へ排水される。このとき、軟質のポリエチレンによる絞り弁５の柔軟性のため、ドレン水の逆流やこれによるボコボコとした異音が発生せずにドレン水を効率良く外部に排水できるものとなる。
【図面の簡単な説明】
【００３１】
【図１】本発明を実施するための最良の形態を示すもので、（ａ）は外気侵入防止装置の分解斜視図、（ｂ）は外気侵入防止装置の組立後の使用状態を示す斜視図である。
【図２】同じく外気侵入防止装置の使用状態を示すもので、（ａ）はドレン水の排水状態を示す断面図、（ｂ）は絞り弁が閉じられて、外気を遮断している状態の断面図である。
【図３】同じく室内機からの室内機側ドレンホースに外気侵入防止装置を取り付けた状態を示す斜視図である。
【符号の説明】
【００３２】
Ｐ…室内機                              Ｑ…室外機
Ｒ…冷媒循環導管                        Ｓ１…室内機側ドレンホース
Ｓ２…延長用ドレンホース
１…外気侵入防止装置                    ２…下部筐体
２Ａ…雌ネジ筒部                        ２Ｂ…接続用差し口
２Ｃ…通気孔                            ３…上部筐体
３Ａ…雄ネジ筒部                        ３Ｂ…接続用受け口
４…アタッチメント                      ５…絞り弁
５Ａ…折り返し部                        ６…輪ゴム
【図１】
2006275313.tif 000003
【図２】
2006275313.tif 000004
【図３】
2006275313.tif 000005